(57)【要約】【課題】  外的環境の変化に追随して同期判定を行うことができ、外的環境が変化した場合であっても通信品質を確保できるようにする。【解決手段】  ＳＩＲ測定部２０は、受信信号にもとづいてＳＩＲを測定する。速度検出部３０は、移動局の移動速度を検出する。同期判定処理部４０は、検出した移動速度が速度検出しきい値より大きいか否かを判断する。速度検出しきい値より大きいと判断した場合には、同期判定処理部４０は、ＳＩＲしきい値を高めの値に変更する。また、速度検出しきい値より大きくないと判断した場合には、同期判定処理部４０は、ＳＩＲしきい値を低めの値に変更する。そして、同期判定処理部４０は、変更後のＳＩＲしきい値を基準として、測定したＳＩＲにもとづいて同期判定を行う。【選択図】  図１
2005253055.tif 000002
【特許請求の範囲】
【請求項１】
無線通信システムにおける移動局に搭載され、受信信号のＳＩＲと同期判定値とを比較して同期保持状態であるか否か判定する同期判定制御装置において、
移動局の環境条件が反映された環境反映パラメータを出力する環境反映パラメータ出力手段と、
前記環境反映パラメータ出力手段が出力した環境反映パラメータにもとづいて前記同期判定値の値を変える同期判定値変更手段と
を備えたことを特徴とする同期判定制御装置。
【請求項２】
同期判定値変更手段は、
環境反映パラメータ出力手段が出力した環境反映パラメータが予め定めた所定のしきい値より大きいか否かを判断し、
前記環境反映パラメータが所定のしきい値より大きいと判断した場合には、同期判定値の値を第１の所定値分大きくし、
前記環境反映パラメータが所定のしきい値より大きくないと判断した場合には、前記同期判定値の値を第２の所定値分小さくする
請求項１記載の同期判定制御装置。
【請求項３】
環境反映パラメータ出力手段は、移動局の移動速度を検出し、検出した移動速度を環境反映パラメータとして出力する請求項１または請求項２記載の同期判定制御装置。
【請求項４】
環境反映パラメータ出力手段は、フィンガ数を環境反映パラメータとして出力する請求項１または請求項２記載の同期判定制御装置。
【請求項５】
環境反映パラメータ出力手段は、受信信号にもとづいてパイロットシンボル数を測定し、測定したパイロットシンボル数を環境反映パラメータとして出力する請求項１または請求項２記載の同期判定制御装置。
【請求項６】
環境反映パラメータ出力手段は、受信信号の拡散率を測定し、測定した拡散率を環境反映パラメータとして出力する請求項１または請求項２記載の同期判定制御装置。
【請求項７】
環境反映パラメータ出力手段は、移動局の移動速度、フィンガ数、パイロットシンボル数または拡散率のうちの２以上を環境反映パラメータとして出力する請求項１または請求項２記載の同期判定制御装置。
【請求項８】
環境反映パラメータ出力手段は、受信信号の誤り率を求め、
同期判定値変更手段は、前記環境反映パラメータ出力手段が求めた誤り率にもとづいて同期判定値の値を変更する
請求項１記載の同期判定制御装置。
【請求項９】
同期判定値変更手段は、
環境反映パラメータ出力手段が求めた誤り率が所定のしきい値より大きいか否かを判断する誤り率判断手段と、
前記誤り率が所定のしきい値より大きいと判断すると、同期判定値の値を所定値分大きくする判定値変更手段とを含む
請求項８記載の同期判定制御装置。
【請求項１０】
同期保持状態であるか否かを判定する同期判定手段を備え、
環境反映パラメータ出力手段は、受信信号の誤り率を求め、
前記同期判定手段は、前記環境反映パラメータ出力手段が求めた誤り率にもとづいて、同期保持状態であるか否かを判定する
請求項１記載の同期判定制御装置。
【請求項１１】
同期判定手段は、
環境反映パラメータ出力手段が求めた誤り率が所定のしきい値より大きいか否かを判断する同期判定側誤り率判断手段と、
前記誤り率が所定のしきい値より大きいと判断すると、同期がはずれた状態であると判定する判定手段とを含む
請求項１０記載の同期判定制御装置。
【請求項１２】
同期判定値変更手段は、前記環境反映パラメータ出力手段が求めた誤り率にもとづいて同期判定値の値を変更する請求項１０又は請求項１１記載の同期判定制御装置。
【請求項１３】
環境反映パラメータ出力手段は、受信信号に含まれる送信電力を制御するためのコマンドのビットの誤り率を求める請求項８から請求項１２のうちのいずれか１項に記載の同期判定制御装置。
【請求項１４】
環境反映パラメータ出力手段は、受信信号に含まれるパイロットビットの誤り率を求める請求項８から請求項１３のうちのいずれか１項に記載の同期判定制御装置。
【請求項１５】
無線通信システムにおける移動局に適用され、受信信号のＳＩＲと同期判定値とを比較して同期保持状態であるか否か判定する同期判定制御方法において、
移動局の環境条件が反映された環境反映パラメータを得て、
前記環境反映パラメータにもとづいて前記同期判定値の値を変える
ことを特徴とする同期判定制御方法。
【請求項１６】
環境反映パラメータが予め定めた所定のしきい値より大きいか否かを判断し、
前記環境反映パラメータが所定のしきい値より大きいと判断した場合には、同期判定値の値を第１の所定値分大きくし、
前記環境反映パラメータが所定のしきい値より大きくないと判断した場合には、前記同期判定値の値を第２の所定値分小さくする
請求項１５記載の同期判定制御方法。
【請求項１７】
受信信号の誤り率を求め、
前記求めた誤り率が所定のしきい値より大きいか否かを判断し、
前記誤り率が所定のしきい値より大きいと判断すると、同期判定値の値を所定値分大きくする
請求項１５記載の同期判定制御方法。
【請求項１８】
受信信号の誤り率を求め、
前記求めた誤り率が所定のしきい値より大きいか否かを判断し、
前記誤り率が所定のしきい値より大きいと判断すると、同期がはずれた状態であると判定する
請求項１５記載の同期判定制御方法。
【発明の詳細な説明】
【技術分野】
【０００１】
本発明は、同期判定制御装置および同期判定制御方法に関し、特に、外的環境の変化に追随して同期判定パラメータを変化させる同期判定制御装置および同期判定制御方法に関する。
【背景技術】
【０００２】
特許文献１には、携帯電話機などの移動局において同期判定を行う受信装置が記載されている。特許文献１に記載された受信装置は、受信信号からパイロットシンボルの位相を判定し、判断した位相にもとづいて、受信信号の同期タイミングを判定する。そして、受信装置は、判定した同期タイミングを基準として受信信号を復調する。
【０００３】
また、特許文献２には、ＤＳ−ＣＤＭＡ無線通信方式を用いた移動無線通信システムにおいて、同期判定を行うＣＤＭＡ同期判定装置が記載されている。特許文献２に記載されたＣＤＭＡ同期判定装置は、受信パイロットシンボルのエラービット数をフィンガごとに算出する。そして、ＣＤＭＡ同期判定装置は、フィンガごとに算出したエラービット数にもとづいて、同期保持状態であるか同期はずれ状態であるかを判定する。
【０００４】
【特許文献１】特開２００２−１６５８７号公報（第５頁、第５−７図）
【特許文献２】特開２００３−１５２５９９号公報（第１０−１１頁、第１図）
【発明の開示】
【発明が解決しようとする課題】
【０００５】
無線通信システムにおいて携帯電話機などの移動局は、同期判定の際の基準値である所定の同期判定パラメータを用いて同期判定を行う。例えば、ＣＤＭＡ方式による移動局は、同期判定パラメータとして、信号電力対干渉電力比（ＳＩＲ）に対し予め定められた固定のしきい値を用いる。この場合、移動局は、所定のフレーム数分連続して受信信号のＳＩＲがしきい値を下回ると、受信信号と拡散符号との同期がはずれた状態であると判断する。
【０００６】
例えば、図１６は、携帯電話機などの移動局において同期判定を行う同期判定制御装置の構成の例を示すブロック図である。図１６に示すように、同期判定制御装置は、ＳＩＲ測定部９１、同期判定用しきい値設定領域９２、同期判定条件設定領域９３、同期判定しきい値比較部９４および同期判定条件比較部９５を含む。ＳＩＲ測定部９１は、受信信号にもとづいてＳＩＲを測定する。同期判定用しきい値設定領域９２は、同期判定用の所定のしきい値を設定する。そして、同期判定しきい値比較部９４は、ＳＩＲ測定部９１が測定したＳＩＲが同期判定用しきい値を超えているか否かを判断することによって、同期判定を行う。また、同期判定条件設定領域９３は、所定の同期の判定条件を設定する。そして、同期判定条件比較部９５は、移動局の受信状態が同期の判定条件を満たしている否かを判断することによって、同期判定を行う。
【０００７】
しかし、風や気温、移動局周囲の地理的環境、移動局の移動速度、移動局と基地局との距離など外的環境が変化すると、外的環境の変化にともなって移動局周辺の電波状況も変化する。この場合、電波状況の変化によって移動局が適切な同期判定を行えず、通信品質が劣化する。
【０００８】
特許文献１に記載された受信装置によれば、パイロットシンボルの位相を基準として正確なタイミングで受信信号を復調できるので、受信特性を効率的に向上させることができる。しかし、外的環境の変化に追随して同期判定を行えるとは限らない。
【０００９】
また、特許文献２に記載されたＣＤＭＡ同期判定装置によれば、エラービット数にもとづいて、同期保持状態であるか同期はずれ状態であるかを判定することができる。しかし、外的環境の変化に追随して同期判定を行えるとは限らない。
【００１０】
また、ＳＩＲを用いて同期判定を行う場合、ノイズやフェージングの影響を受けて、ＳＩＲを正しく測定できないことがある。この場合、ＳＩＲを正しく測定できず誤ったＳＩＲを連続して測定し続けると、同期判定において誤判定することがある。例えば、実際には同期がはずれているにもかかわらず、誤ったＳＩＲにもとづいて同期していると判定してしまうことがある。また、この場合、ＳＩＲの誤測定を防止するために、同期判定用しきい値設定領域９２に、余分なマージンをもたせたしきい値を設定させなければならない。
【００１１】
そこで、本発明は、外的環境の変化に追随して同期判定を行うことができ、外的環境が変化した場合であっても通信品質を確保できる同期判定制御装置および同期判定制御方法を提供することを目的とする。また、本発明は、ノイズやフェージングの影響によって正しいＳＩＲを測定できない場合であっても、ＳＩＲによる同期判定の誤判定を防止することができる同期判定制御装置および同期判定制御方法を提供することを目的とする。
【課題を解決するための手段】
【００１２】
本発明による同期判定制御装置は、無線通信システムにおける移動局に搭載され、受信信号のＳＩＲと同期判定値とを比較して同期保持状態であるか否か判定する同期判定制御装置において、移動局の環境条件が反映された環境反映パラメータを出力する環境反映パラメータ出力手段と、環境反映パラメータ出力手段が出力した環境反映パラメータにもとづいて同期判定値の値を変える同期判定値変更手段とを備えたことを特徴とする。
【００１３】
また、同期判定値変更手段は、環境反映パラメータ出力手段が出力した環境反映パラメータが予め定めた所定のしきい値より大きいか否かを判断し、環境反映パラメータが所定のしきい値より大きいと判断した場合には、同期判定値の値を第１の所定値分大きくし、環境反映パラメータが所定のしきい値より大きくないと判断した場合には、同期判定値の値を第２の所定値分小さくするものであってもよい。そのような構成によれば、環境反映パラメータの大きさの変化に応じて同期判定値の値を変更することができるので、外的環境の変化に追随して同期判定値の値を変更することができる。
【００１４】
また、環境反映パラメータ出力手段は、移動局の移動速度を検出し、検出した移動速度を環境反映パラメータとして出力するものであってもよい。そのような構成によれば、外的環境のうち移動局の移動速度が変化した場合に、移動速度の変化に追随して同期判定を行うことができる。
【００１５】
また、環境反映パラメータ出力手段は、フィンガ数を環境反映パラメータとして出力するものであってもよい。そのような構成によれば、外的環境のうち移動局と基地局との距離や移動局の移動速度が変化した場合に、基地局との距離や移動速度の変化に追随して同期判定を行うことができる。
【００１６】
また、環境反映パラメータ出力手段は、受信信号にもとづいてパイロットシンボル数を測定し、測定したパイロットシンボル数を環境反映パラメータとして出力するものであってもよい。そのような構成によれば、受信信号に含まれるパイロットシンボル数が変化した場合に、パイロットシンボル数の変化に追随して同期判定を行うことができる。
【００１７】
また、環境反映パラメータ出力手段は、受信信号の拡散率を測定し、測定した拡散率を環境反映パラメータとして出力するものであってもよい。そのような構成によれば、受信信号の拡散率が変化した場合に、拡散率の変化に追随して同期判定を行うことができる。
【００１８】
また、環境反映パラメータ出力手段は、移動局の移動速度、フィンガ数、パイロットシンボル数または拡散率のうちの２以上を環境反映パラメータとして出力するものであってもよい。そのような構成によれば、複数の環境反映パラメータにもとづいて、複数種類の外的環境の変化に追随して同期判定を行うことができる。
【００１９】
また、環境反映パラメータ出力手段（例えば、ＴＰＣビット誤り率計算部１７又はパイロットビット誤り率計算部２７）は、受信信号の誤り率を求め、同期判定値変更手段は、環境反映パラメータ出力手段が求めた誤り率にもとづいて同期判定値の値を変更するものであってもよい。そのような構成によれば、ノイズやフェージングの影響によって正しいＳＩＲを測定できない場合であっても、ＳＩＲによる同期判定の誤判定を防止することができ、同期判定の精度を向上させることができる。
【００２０】
また、同期判定値変更手段は、環境反映パラメータ出力手段が求めた誤り率が所定のしきい値より大きいか否かを判断する誤り率判断手段（例えば、ＳＩＲ測定の信頼性判断部１８，２８によって実現される）と、誤り率が所定のしきい値より大きいと判断すると、同期判定値の値を所定値分大きくする判定値変更手段（例えば、同期判定しきい値比較部１４によって実現される）とを含むものであってもよい。そのような構成によれば、誤り率の悪化に従って同期判定値を大きくすることによって、ＳＩＲによる同期判定の誤判定を防止することができ、同期判定の精度を向上させることができる。
【００２１】
また、同期判定制御装置は、同期保持状態であるか否かを判定する同期判定手段（例えば、同期判定結果通知領域部３８によって実現される）を備え、環境反映パラメータ出力手段は、受信信号の誤り率を求め、同期判定手段は、環境反映パラメータ出力手段が求めた誤り率にもとづいて、同期保持状態であるか否かを判定するものであってもよい。そのような構成によれば、ＳＩＲを用いた同期判定にかぎらず、誤り率にもとづいて直接同期判定を行うことができる。従って、ノイズやフェージングの影響によって正しいＳＩＲを測定できない場合であっても、ＳＩＲによる同期判定の誤判定を防止することができ、同期判定の精度を向上させることができる。
【００２２】
また、同期判定手段は、環境反映パラメータ出力手段が求めた誤り率が所定のしきい値より大きいか否かを判断する同期判定側誤り率判断手段（例えば、同期判定結果通知領域部３８によって実現される）と、誤り率が所定のしきい値より大きいと判断すると、同期がはずれた状態であると判定する判定手段（例えば、同期判定結果通知領域部３８によって実現される）とを含むものであってもよい。そのような構成によれば、誤り率を所定のしきい値と比較することによって、容易に同期判定を行うことができる。
【００２３】
また、同期判定値変更手段は、環境反映パラメータ出力手段が求めた誤り率にもとづいて同期判定値の値を変更するものであってもよい。そのような構成によれば、誤り率だけにもとづいて直接同期判定を行う場合を比較して、よりＳＩＲによる同期判定の誤判定を防止することができ、より同期判定の精度を向上させることができる。
【００２４】
また、環境反映パラメータ出力手段は、受信信号に含まれる送信電力を制御するためのコマンドのビット（ＴＰＣビット）の誤り率を求めるものであってもよい。
【００２５】
また、環境反映パラメータ出力手段は、受信信号に含まれるパイロットビットの誤り率を求めるものであってもよい。
【００２６】
本発明による同期判定制御方法は、無線通信システムにおける移動局に適用され、受信信号のＳＩＲと同期判定値とを比較して同期保持状態であるか否か判定する同期判定制御方法において、移動局の環境条件が反映された環境反映パラメータを得て、環境反映パラメータにもとづいて同期判定値の値を変えることを特徴とする。
【００２７】
また、同期判定制御方法は、環境反映パラメータが予め定めた所定のしきい値より大きいか否かを判断し、環境反映パラメータが所定のしきい値より大きいと判断した場合には、同期判定値の値を第１の所定値分大きくし、環境反映パラメータが所定のしきい値より大きくないと判断した場合には、同期判定値の値を第２の所定値分小さくするものであってもよい。そのような構成によれば、環境反映パラメータの大きさの変化に応じて同期判定値の値を変更することができるので、外的環境の変化に追随して同期判定値の値を変更することができる。
【００２８】
また、同期判定制御方法は、受信信号の誤り率を求め、求めた誤り率が所定のしきい値より大きいか否かを判断し、誤り率が所定のしきい値より大きいと判断すると、同期判定値の値を所定値分大きくするものであってもよい。そのような構成によれば、ノイズやフェージングの影響によって正しいＳＩＲを測定できない場合であっても、ＳＩＲによる同期判定の誤判定を防止することができ、同期判定の精度を向上させることができる。
【００２９】
また、同期判定制御方法は、受信信号の誤り率を求め、求めた誤り率が所定のしきい値より大きいか否かを判断し、誤り率が所定のしきい値より大きいと判断すると、同期がはずれた状態であると判定するものであってもよい。そのような構成によれば、ＳＩＲを用いた同期判定にかぎらず、誤り率にもとづいて直接同期判定を行うことができる。従って、ノイズやフェージングの影響によって正しいＳＩＲを測定できない場合であっても、ＳＩＲによる同期判定の誤判定を防止することができ、同期判定の精度を向上させることができる。
【発明の効果】
【００３０】
本発明によれば、環境反映パラメータにもとづいて同期判定値の値を変更する。環境条件に応じて同期判定値の値を変更できるので、外的環境の変化に追随した同期判定値を用いて同期判定を行うことができる。従って、外的環境の変化に追随して同期判定を行うことができ、外的環境が変化した場合であっても通信品質を確保することができる。
【発明を実施するための最良の形態】
【００３１】
実施の形態１．
以下、本発明の第１の実施の形態を図面を参照して説明する。図１は、本発明による同期判定制御装置の構成の一例を示すブロック図である。本実施の形態では、同期判定制御装置は、符号分割多元接続（ＣＤＭＡ）方式を用いた携帯電話機などの移動局に搭載される。同期判定制御装置は、移動局の環境条件が反映されるパラメータである環境反映パラメータを取得する。また、同期判定制御装置は、受信信号と拡散符号との同期が保持されている状態であるか否かを判定する同期判定の際の基準値である同期判定パラメータ（同期判定値）を、取得した環境反映パラメータにもとづいて変更する。そして、同期判定制御装置は、変更後の同期判定パラメータを用いて同期判定を行う。
【００３２】
本実施の形態では、同期判定制御装置は、環境反映パラメータとして、移動局の移動速度を検出する。また、本実施の形態では、同期判定制御装置は、同期判定パラメータとして、ＳＩＲに対する所定のしきい値（以下、ＳＩＲしきい値という）を用いて同期判定を行う。
【００３３】
図１に示すように、同期判定制御装置は、基地局からの無線信号を受信する受信部１０、ＳＩＲを測定するＳＩＲ測定部２０、移動局の移動速度を検出する速度検出部３０、および同期判定を行う同期判定処理部４０を含む。
【００３４】
受信部１０は、基地局からの無線信号を受信する。ＳＩＲ測定部２０は、受信部１０からの受信信号にもとづいて、受信信号のＳＩＲを測定する。
【００３５】
速度検出部３０は、移動局の移動速度を検出する。本実施の形態では、同期判定制御装置は、タイマを備え、所定の時間ごとにＧＰＳ衛星からＧＰＳ信号を受信する。速度検出部３０は、ＧＰＳ信号から移動局の位置情報（緯度および経度）を検出し、検出した位置情報にもとづいて移動局の移動速度を求める。
【００３６】
同期判定処理部４０は、ＳＩＲしきい値を基準として、ＳＩＲ測定部２０が測定したＳＩＲにもとづいて同期判定を行う。本実施の形態では、同期判定処理部４０は、所定のフレーム数連続して受信信号のＳＩＲがＳＩＲしきい値より小さいと判断すると、受信信号と拡散符号との同期がはずれた状態であると判定する。すなわち、受信信号の受信品質がしきい値を下回ると同期がはずれる蓋然性が高くなるので、同期判定処理部４０は、同期がはずれた状態であると判断する。
【００３７】
また、同期判定処理部４０は、速度検出部３０が検出した移動局の移動速度にもとづいて、ＳＩＲしきい値を変更する。この場合、同期判定処理部４０は、速度検出部３０が検出した移動速度と所定のしきい値（以下、速度検出しきい値という）とを比較することによって、ＳＩＲしきい値を変更する。速度検出しきい値として、例えば、歩行、自動車または鉄道での移動状態を想定した場合の移動速度の値が予め設定されている。
【００３８】
本実施の形態において、環境反映パラメータ出力手段は、速度検出部３０によって実現される。また、同期判定値変更手段は、同期判定処理部４０によって実現される。
【００３９】
次に、動作について説明する。図２は、同期判定処理部４０が行うＳＩＲしきい値の変更処理および同期判定処理を示す流れ図である。受信部１０が基地局からの無線信号を受信すると、ＳＩＲ測定部２０は、受信信号にもとづいてＳＩＲを測定する。また、速度検出部３０は、移動局の移動速度を検出する。
【００４０】
同期判定処理部４０は、速度検出部３０から、移動局の移動速度を読み込む（ステップＳ１１）。同期判定処理部４０は、移動速度が速度検出しきい値より大きいか否かを判断する（ステップＳ１２）。速度検出しきい値より大きい（しきい値の速度より速い）と判断した場合には、同期判定処理部４０は、ＳＩＲしきい値を高めの値に変更し、新たなＳＩＲしきい値として設定する（ステップＳ１３，Ｓ１５）。ＳＩＲしきい値をどの程度高するのかは、シミュレーションなどの事前検証を行った結果にもとづいて予め定められる。
【００４１】
速度検出しきい値より大きくない（しきい値の速度より速くない）と判断した場合には、同期判定処理部４０は、ＳＩＲしきい値を低めの値に変更し、新たなＳＩＲしきい値として設定する（ステップＳ１４，Ｓ１５）。ＳＩＲしきい値をどの程度低くするのかは、シミュレーションなどの事前検証を行った結果にもとづいて予め定められる。
【００４２】
同期判定処理部４０は、ＳＩＲしきい値を変更すると、変更後のＳＩＲしきい値を基準として、ＳＩＲ測定部２０が測定したＳＩＲにもとづいて同期判定を行う（ステップＳ１６）。そして、同期判定処理部４０は、予め定めた所定時間が経過すると、再びステップＳ１１以降の処理を繰り返し実行する。すなわち、同期判定処理部４０は、移動局の移動速度の変化に応じて、ＳＩＲしきい値を繰り返し変更しながら同期判定を行う。
【００４３】
以上のように、本実施の形態によれば、同期判定制御装置は、検出した移動局の移動速度にもとづいてＳＩＲしきい値を変更する。移動速度に応じてＳＩＲしきい値を変更できるので、移動速度の変化に追随したＳＩＲしきい値を用いて同期判定を行うことができる。従って、移動速度の変化に追随して同期判定を行うことができ、移動速度が変化した場合であっても通信品質を確保することができる。
【００４４】
なお、本実施の形態では、ＧＰＳ信号にもとづいて移動局の移動速度を検出する場合を例にしたが、移動速度の検出方法はそのような方法に限られない。例えば、複数の基地局からの受信電界強度の変動などにもとづいて、移動速度を検出してもよい。
【００４５】
実施の形態２．
次に、本発明の第２の実施の形態を図面を参照して説明する。図３は、同期判定制御装置の他の構成例を示すブロック図である。図３に示すように、同期判定制御装置は、第１の実施の形態で示した速度検出部３０に代えて、フィンガ（finger）数を設定するフィンガ数設定部５０を含む。本実施の形態では、同期判定制御装置が環境反映パラメータとしてフィンガ数を用いる。
【００４６】
フィンガ数設定部５０は、移動局と基地局との位置関係、移動局の移動速度またはモニタするチャネル数などにもとづいて、フィンガ数を設定する。本実施の形態では、フィンガ数設定部５０は、移動局の位置情報にもとづいて、移動局と基地局との距離や移動局の移動速度を求める。そして、フィンガ数設定部５０は、基地局との距離や移動速度にもとづいてフィンガ数を設定する。フィンガ数が設定されると、移動局は、フィンガ数分のフィンガ回路を用いて受信信号を逆拡散し、逆拡散後の信号を合成する。
【００４７】
同期判定処理部４０は、所定のＳＩＲしきい値を基準として、ＳＩＲ測定部２０が測定したＳＩＲにもとづいて同期判定を行う。また、同期判定処理部４０は、フィンガ数設定部５０が設定したフィンガ数にもとづいて、ＳＩＲしきい値を変更する。この場合、同期判定処理部４０は、フィンガ数設定部５０が設定したフィンガ数と所定のしきい値（以下、フィンガ数しきい値という）とを比較することによって、ＳＩＲしきい値を変更する。フィンガ数しきい値は、例えば、シミュレーションを行った結果や、所定のアルゴリズムを用いて行った事前検証結果を用いて予め定められる。
【００４８】
なお、本実施の形態において、受信部１０およびＳＩＲ測定部２０の機能については、第１の実施の形態におけるそれらの機能と同様である。
【００４９】
次に、動作について説明する。図４は、ＳＩＲしきい値の変更処理および同期判定処理を示す流れ図である。受信部１０が基地局からの無線信号を受信すると、ＳＩＲ測定部２０は、受信信号にもとづいてＳＩＲを測定する。また、フィンガ数設定部５０は、移動局と基地局との距離や移動局の移動速度を検出し、フィンガ数を設定する。
【００５０】
同期判定処理部４０は、フィンガ数設定部５０から、設定したフィンガ数を読み込む（ステップＳ２１）。同期判定処理部４０は、設定したフィンガ数がフィンガ数しきい値より大きいか否かを判断する（ステップＳ２２）。フィンガ数しきい値より大きい（しきい値の数より多い）と判断した場合には、同期判定処理部４０は、ＳＩＲしきい値を高めの値に変更し、新たなＳＩＲしきい値として設定する（ステップＳ２３，Ｓ２５）。ＳＩＲしきい値をどの程度高するのかは、シミュレーションなどの事前検証を行った結果にもとづいて予め定められる。
【００５１】
フィンガ数しきい値より大きくない（しきい値の数より多くない）と判断した場合には、同期判定処理部４０は、ＳＩＲしきい値を低めの値に変更し、新たなＳＩＲしきい値として設定する（ステップＳ２４，Ｓ２５）。ＳＩＲしきい値をどの程度低くするのかは、シミュレーションなどの事前検証を行った結果にもとづいて予め定められる。
【００５２】
同期判定処理部４０は、ＳＩＲしきい値を変更すると、変更後のＳＩＲしきい値を基準として、ＳＩＲ測定部２０が測定したＳＩＲにもとづいて同期判定を行う（ステップＳ２６）。そして、同期判定処理部４０は、予め定めた所定時間が経過すると、再びステップＳ２１以降の処理を繰り返し実行する。すなわち、同期判定処理部４０は、移動局と基地局との距離や移動局の移動速度の変化にもとづくフィンガ数の変化に応じて、ＳＩＲしきい値を繰り返し変更しながら同期判定を行う。
【００５３】
以上のように、本実施の形態によれば、同期判定制御装置は、設定したフィンガ数にもとづいてＳＩＲしきい値を変更する。フィンガ数に応じてＳＩＲしきい値を変更できるので、移動局と基地局との距離や移動局の移動速度の変化に追随したＳＩＲしきい値を用いて同期判定を行うことができる。従って、基地局との距離や移動速度の変化に追随して同期判定を行うことができ、基地局との距離や移動速度が変化した場合であっても通信品質を確保することができる。
【００５４】
実施の形態３．
次に、本発明の第３の実施の形態を図面を参照して説明する。図５は、同期判定制御装置の更に他の構成例を示すブロック図である。図５に示すように、同期判定制御装置は、第１の実施の形態で示した速度検出部３０に代えて、パイロットシンボル（Pilot Symbol）数を測定するパイロットシンボル数測定部６０を含む。本実施の形態では、同期判定制御装置が環境反映パラメータとしてパイロットシンボル数を用いる。
【００５５】
パイロットシンボル数測定部６０は、受信部１０からの受信信号をデコードし、受信信号に含まれるパイロットシンボル数を測定する。
【００５６】
同期判定処理部４０は、所定のＳＩＲしきい値を基準として、ＳＩＲ測定部２０が測定したＳＩＲにもとづいて同期判定を行う。また、同期判定処理部４０は、パイロットシンボル数測定部６０が測定したパイロットシンボル数にもとづいて、ＳＩＲしきい値を変更する。この場合、同期判定処理部４０は、パイロットシンボル数測定部６０が測定したパイロットシンボル数と所定のしきい値（以下、パイロットシンボル数しきい値という）とを比較することによって、ＳＩＲしきい値を変更する。パイロットシンボル数しきい値は、例えば、シミュレーションを行った結果や、所定のアルゴリズムを用いて行った事前検証結果を用いて予め定められる。
【００５７】
なお、本実施の形態において、受信部１０およびＳＩＲ測定部２０の機能については、第１の実施の形態におけるそれらの機能と同様である。
【００５８】
次に、動作について説明する。図６は、ＳＩＲしきい値の変更処理および同期判定処理を示す流れ図である。受信部１０が基地局からの無線信号を受信すると、ＳＩＲ測定部２０は、受信信号にもとづいてＳＩＲを測定する。また、パイロットシンボル数測定部６０は、受信信号をデコードし、受信信号に含まれるパイロットシンボル数を測定する。
【００５９】
同期判定処理部４０は、パイロットシンボル数測定部６０から、測定したパイロットシンボル数を読み込む（ステップＳ３１）。同期判定処理部４０は、測定したパイロットシンボル数がパイロットシンボル数しきい値より大きいか否かを判断する（ステップＳ３２）。パイロットシンボル数しきい値より大きい（しきい値の数より多い）と判断した場合には、同期判定処理部４０は、ＳＩＲしきい値を高めの値に変更し、新たなＳＩＲしきい値として設定する（ステップＳ３３，Ｓ３５）。ＳＩＲしきい値をどの程度高するのかは、シミュレーションなどの事前検証を行った結果にもとづいて予め定められる。
【００６０】
パイロットシンボル数しきい値より大きくない（しきい値の数より多くない）と判断した場合には、同期判定処理部４０は、ＳＩＲしきい値を低めの値に変更し、新たなＳＩＲしきい値として設定する（ステップＳ３４，Ｓ３５）。ＳＩＲしきい値をどの程度低くするのかは、シミュレーションなどの事前検証を行った結果にもとづいて予め定められる。
【００６１】
同期判定処理部４０は、ＳＩＲしきい値を変更すると、変更後のＳＩＲしきい値を基準として、ＳＩＲ測定部２０が測定したＳＩＲにもとづいて同期判定を行う（ステップＳ３６）。そして、同期判定処理部４０は、予め定めた所定時間が経過すると、再びステップＳ３１以降の処理を繰り返し実行する。すなわち、同期判定処理部４０は、パイロットシンボル数の変化に応じて、ＳＩＲしきい値を繰り返し変更しながら同期判定を行う。
【００６２】
以上のように、本実施の形態によれば、同期判定制御装置は、パイロットシンボル数にもとづいてＳＩＲしきい値を変更する。パイロットシンボル数に応じてＳＩＲしきい値を変更できるので、受信信号に含まれるパイロットシンボル数の変化に追随したＳＩＲしきい値を用いて同期判定を行うことができる。従って、パイロットシンボル数の変化に追随して同期判定を行うことができ、受信信号に含まれるパイロットシンボル数が変化した場合であっても通信品質を確保することができる。
【００６３】
実施の形態４．
次に、本発明の第４の実施の形態を図面を参照して説明する。図７は、同期判定制御装置の更に他の構成例を示すブロック図である。図７に示すように、同期判定制御装置は、第１の実施の形態で示した速度検出部３０に代えて、拡散率（spreading factor）を測定する拡散率測定部７０を含む。本実施の形態では、同期判定制御装置が環境反映パラメータとして拡散率を用いる。
【００６４】
拡散率測定部７０は、受信部１０からの受信信号をデコードし、受信信号の拡散率を測定する。
【００６５】
同期判定処理部４０は、所定のＳＩＲしきい値を基準として、ＳＩＲ測定部２０が測定したＳＩＲにもとづいて同期判定を行う。また、同期判定処理部４０は、拡散率測定部７０が測定した拡散率にもとづいて、ＳＩＲしきい値を変更する。この場合、同期判定処理部４０は、拡散率測定部７０が測定した拡散率と所定のしきい値（以下、拡散率しきい値という）とを比較することによって、ＳＩＲしきい値を変更する。拡散率しきい値は、例えば、シミュレーションを行った結果や、所定のアルゴリズムを用いて行った事前検証結果を用いて予め定められる。
【００６６】
なお、本実施の形態において、受信部１０およびＳＩＲ測定部２０の機能については、第１の実施の形態におけるそれらの機能と同様である。
【００６７】
次に、動作について説明する。図８は、ＳＩＲしきい値の変更処理および同期判定処理を示す流れ図である。受信部１０が基地局からの無線信号を受信すると、ＳＩＲ測定部２０は、受信信号にもとづいてＳＩＲを測定する。また、拡散率測定部７０は、受信信号の拡散率を測定する。
【００６８】
同期判定処理部４０は、拡散率測定部７０から、測定した拡散率を読み込む（ステップＳ４１）。同期判定処理部４０は、測定した拡散率が拡散率しきい値より大きいか否かを判断する（ステップＳ４２）。拡散率しきい値より大きいと判断した場合には、同期判定処理部４０は、ＳＩＲしきい値を高めの値に変更し、新たなＳＩＲしきい値として設定する（ステップＳ４３，Ｓ４５）。ＳＩＲしきい値をどの程度高するのかは、シミュレーションなどの事前検証を行った結果にもとづいて予め定められる。
【００６９】
拡散率しきい値より大きくないと判断した場合には、同期判定処理部４０は、ＳＩＲしきい値を低めの値に変更し、新たなＳＩＲしきい値として設定する（ステップＳ４４，Ｓ４５）。ＳＩＲしきい値をどの程度低くするのかは、シミュレーションなどの事前検証を行った結果にもとづいて予め定められる。
【００７０】
同期判定処理部４０は、ＳＩＲしきい値を変更すると、変更後のＳＩＲしきい値を基準として、ＳＩＲ測定部２０が測定したＳＩＲにもとづいて同期判定を行う（ステップＳ４６）。そして、同期判定処理部４０は、予め定めた所定時間が経過すると、再びステップＳ４１以降の処理を繰り返し実行する。すなわち、同期判定処理部４０は、拡散率の変化に応じて、ＳＩＲしきい値を繰り返し変更しながら同期判定を行う。
【００７１】
以上のように、本実施の形態によれば、同期判定制御装置は、拡散率にもとづいてＳＩＲしきい値を変更する。拡散率に応じてＳＩＲしきい値を変更できるので、拡散率の変化に追随したＳＩＲしきい値を用いて同期判定を行うことができる。従って、拡散率の変化に追随して同期判定を行うことができ、拡散率が変化した場合であっても通信品質を確保することができる。
【００７２】
実施の形態５．
次に、本発明の第５の実施の形態を図面を参照して説明する。図９は、同期判定制御装置の更に他の構成例を示すブロック図である。図９に示すように、同期判定制御装置は、第１の実施の形態で示した構成に加えて、フィンガ数を設定するフィンガ数設定部５０を含む。本実施の形態では、同期判定制御装置は、複数の環境反映パラメータにもとづいてＳＩＲしきい値を変更し、変更後のＳＩＲしきい値を用いて同期判定を行う。なお、本実施の形態では、環境反映パラメータとして、移動局の移動速度およびフィンガ数を用いる場合を説明する。
【００７３】
同期判定処理部４０は、所定のＳＩＲしきい値を基準として、ＳＩＲ測定部２０が測定したＳＩＲにもとづいて同期判定を行う。また、同期判定処理部４０は、速度検出部３０が検出した移動速度およびフィンガ数設定部５０が設定したフィンガ数にもとづいて、ＳＩＲしきい値を変更する。この場合、同期判定処理部４０は、移動速度と速度検出しきい値とを比較し、且つフィンガ数とフィンガ数しきい値とを比較することによって、ＳＩＲしきい値を変更する。
【００７４】
なお、本実施の形態において、受信部１０、ＳＩＲ測定部２０および速度検出部３０の機能については、第１の実施の形態におけるそれらの機能と同様である。また、フィンガ数設定部５０の機能については、第２の実施の形態におけるそれらの機能と同様である。
【００７５】
次に、動作について説明する。図１０は、ＳＩＲしきい値の変更処理および同期判定処理を示す流れ図である。受信部１０が基地局からの無線信号を受信すると、ＳＩＲ測定部２０は、受信信号にもとづいてＳＩＲを測定する。また、速度検出部３０は、移動局の移動速度を検出する。また、フィンガ数設定部５０は、移動局と基地局との距離や移動局の移動速度を検出し、フィンガ数を設定する。
【００７６】
同期判定処理部４０は、速度検出部３０から移動局の移動速度を読み込み、フィンガ数設定部５０からフィンガ数を読み込む（ステップＳ５１）。同期判定処理部４０は、読み込んだ移動速度とフィンガ数とについて、それぞれしきい値判定を行う（ステップＳ５２）。この場合、同期判定処理部４０は、移動速度が速度検出しきい値より大きいか否かを判断し、且つフィンガ数がフィンガ数しきい値より大きいか否かを判断する。
【００７７】
同期判定処理部４０は、ステップＳ５２でのしきい値判定結果にもとづいて、ＳＩＲしきい値を変更する（ステップＳ５３）。本実施の形態では、ステップＳ５２で移動速度およびフィンガ数の両方がしきい値より大きいと判断した場合には、同期判定処理部４０は、ＳＩＲしきい値を高めの値に変更し、新たなＳＩＲしきい値として設定する。ＳＩＲしきい値をどの程度高するのかは、シミュレーションなどの事前検証を行った結果にもとづいて予め定められる。
【００７８】
また、移動速度およびフィンガ数のうちのいずれかがしきい値より大きくないと判断した場合には、同期判定処理部４０は、ＳＩＲしきい値を低めの値に変更し、新たなＳＩＲしきい値として設定する。ＳＩＲしきい値をどの程度低くするのかは、シミュレーションなどの事前検証を行った結果にもとづいて予め定められる。
【００７９】
なお、ＳＩＲしきい値の変更方法は、本実施の形態で示したものに限られない。例えば、同期判定処理部４０は、移動速度およびフィンガ数のうちのいずれかがしきい値より大きいと判断した場合にＳＩＲしきい値を高めの値に変更し、移動速度およびフィンガ数の両方がしきい値より大きくないと判断した場合にＳＩＲしきい値を低めの値に変更してもよい。
【００８０】
同期判定処理部４０は、ＳＩＲしきい値を変更すると、変更後のＳＩＲしきい値を基準として、ＳＩＲ測定部２０が測定したＳＩＲにもとづいて同期判定を行う（ステップＳ５４）。そして、同期判定処理部４０は、予め定めた所定時間が経過すると、再びステップＳ５１以降の処理を繰り返し実行する。すなわち、同期判定処理部４０は、移動速度およびフィンガ数の両方の変化に応じて、ＳＩＲしきい値を繰り返し変更しながら同期判定を行う。
【００８１】
以上のように、本実施の形態によれば、同期判定制御装置は、移動局の移動速度およびフィンガ数の両方にもとづいてＳＩＲしきい値を変更する。移動速度およびフィンガ数の両方に応じてＳＩＲしきい値を変更できるので、移動局の移動速度および基地局との距離の両方の変化に追随したＳＩＲしきい値を用いて同期判定を行うことができる。従って、移動速度および基地局との距離の両方の変化に追随して同期判定を行うことができ、移動速度および基地局との距離が変化した場合であっても通信品質を確保することができる。
【００８２】
なお、本実施の形態では、環境反映パラメータとして移動局の移動速度とフィンガ数とを用いる場合を説明したが、パイロットシンボル数や拡散率など他の環境反映パラメータを複数組み合わせて用いてもよい。また、２つの環境反映パラメータのみを組み合わせて用いるのでなく、３以上の環境反映パラメータを組み合わせて用いてもよい。
【００８３】
また、上記の各実施の形態では、環境反映パラメータの値を１つのしきい値と比較することによってＳＩＲしきい値を変更するようにしたが、ＳＩＲしきい値をより細かく変更するようにしてもよい。例えば、同期判定処理部４０が多数の環境反映パラメータの値とＳＩＲしきい値との関係が設定されたテーブルを備え、そのときの環境反映パラメータの値に応じたＳＩＲ値をテーブルから取り出し、取り出した値を新たなＳＩＲしきい値としてもよい。また、基地局から移動局に、移動局の移動速度を検出可能な情報を送信するようにしてもよい。
【００８４】
実施の形態６．
次に、本発明の第６の実施の形態を図面を参照して説明する。図１１は、同期判定制御装置の更に他の構成例を示すブロック図である。図１１に示すように、同期判定制御装置は、受信部１０、ＳＩＲ測定部２０、同期判定処理部４０、ＴＰＣビットパターン比較部１６およびＴＰＣビット誤り率計算部１７を含む。本実施の形態では、同期判定制御装置は、環境反映パラメータとして、Transmito Power Control （ＴＰＣ）と呼ばれる送信電力制御用のコマンドのＴＰＣビットの誤り率を用いる。
【００８５】
ＴＰＣビットパターン比較部１６は、受信部１０からの受信信号をデコードし、受信信号に含まれるＴＰＣビットのパターンを比較して、受信したＴＰＣビットが誤っているか否かを判断する。本実施の形態では、ＴＰＣビットパターン比較部１６は、ＴＰＣビットが取りうるビットパターンを予めメモリなどの記憶部に記憶している。そして、ＴＰＣビットパターン比較部１６は、受信信号に含まれるＴＰＣビットのビットパターンと予め記憶するビットパターンとを比較し、ビットパターンが一致するか否かを判断する。
【００８６】
例えば、ＴＰＣビットが２ビットで構成される場合、ＴＰＣビットパターン比較部１６は、ＴＰＣビットが取りうるビットパターンとして（１，０）および（１，１）を予め記憶する。この場合、ＴＰＣビットパターン比較部１６は、受信信号に含まれるＴＰＣビットが（１，０）又は（１，１）と一致すると判断すると、ＴＰＣビットが正しいと判断する。また、ＴＰＣビットパターン比較部１６は、受信信号に含まれるＴＰＣビットが（１，０）および（１，１）のいずれとも一致しないと判断すると、ＴＰＣビットが誤っていると判断する。
【００８７】
ＴＰＣビット誤り率計算部１７は、ＴＰＣビットパターン比較部１６の比較結果にもとづいて、受信信号のＴＰＣビットの誤り率を計算する。本実施の形態では、ＴＰＣビット誤り率計算部１７は、ＴＰＣビットパターン比較部１６が受信信号に含まれるＴＰＣビットが誤っているか否かを判定した判定結果にもとづいて、ＴＰＣビットの誤り率を求める。
【００８８】
同期判定処理部４０は、同期判定用しきい値設定領域部１２、同期判定条件設定領域部１３、同期判定しきい値比較部１４、同期判定条件比較部１５およびＳＩＲ測定の信頼性判断部１８を含む。
【００８９】
同期判定用しきい値設定領域部１２は、同期判定用の所定のしきい値を設定する。また、同期判定用しきい値設定領域部１２は、設定したしきい値をメモリなどの記憶部に予め記憶する。本実施の形態では、同期判定用しきい値設定領域部１２は、同期判定用のしきい値として、所定のＳＩＲしきい値を設定し予め記憶する。同期判定条件設定領域部１３は、所定の同期の判定条件（例えば、ビット誤り率）を設定する。また、同期判定条件設定領域部１３は、設定した判定条件をメモリなどの記憶部に予め記憶する。
【００９０】
同期判定しきい値比較部１４は、ＳＩＲ測定部２０が測定したＳＩＲが、同期判定用しきい値設定領域部１２が記憶する同期判定用しきい値より大きいか否かを判断することによって、同期判定を行う。また、同期判定しきい値比較部１４は、ＳＩＲ測定の信頼性判断部１８からの指示に従って、同期判定に用いるＳＩＲしきい値を変更する。同期判定条件比較部１５は、移動局の受信状態が、同期判定条件設定領域部１３が記憶する同期の判定条件を満たしている否かを判断することによって、同期判定を行う。例えば、同期判定条件比較部１５は、受信信号のビット誤り率が、判定条件として設定されたビット誤り率のしきい値より大きいか否かを判断することによって、同期判定を行う。
【００９１】
ＳＩＲ測定の信頼性判断部１８は、ＴＰＣビット誤り率計算部１７が求めたＴＰＣビットの誤り率にもとづいて、ＳＩＲ測定の信頼性が低いか否かを判断する。本実施の形態では、ＳＩＲ測定の信頼性判断部１８は、ＴＰＣビットの誤り率の所定のしきい値を予めメモリなどの記憶部に記憶している。また、ＳＩＲ測定の信頼性判断部１８は、ＴＰＣビット誤り率計算部１７が求めた誤り率が予め記憶するしきい値より大きいか否かを判断する。誤り率がしきい値より大きいと判断すると、ＳＩＲ測定の信頼性判断部１８は、ＳＩＲ測定部２０が測定するＳＩＲの信頼性が低いと判断する。また、誤り率がしきい値より大きくないと判断すると、ＳＩＲ測定の信頼性判断部１８は、ＳＩＲ測定部２０が測定するＳＩＲが信頼できると判断する。
【００９２】
また、ＳＩＲ測定の信頼性判断部１８は、ＳＩＲ測定の信頼性が低いと判断すると、ＳＩＲしきい値を変更するように同期判定しきい値比較部１４に指示する。本実施の形態では、ＳＩＲ測定の信頼性判断部１８は、ＳＩＲ測定の信頼性が低いと判断すると、ＳＩＲしきい値を上げるように同期判定しきい値比較部１４に指示する。すなわち、ＳＩＲ測定の信頼性判断部１８は、ＳＩＲしきい値を上げさせることによって、同期判定比較において同期状態であると判定しにくく（誤判定しにくく）させる。
【００９３】
なお、本実施の形態において、受信部１０およびＳＩＲ測定部２０の機能については、第１の実施の形態におけるそれらの機能と同様である。
【００９４】
次に、動作について説明する。図１２は、ＳＩＲしきい値の変更処理および同期判定処理を示す流れ図である。受信部１０が基地局からの無線信号を受信すると（ステップＳ６１）、ＳＩＲ測定部２０は、受信信号にもとづいてＳＩＲを測定する（ステップＳ６２）。
【００９５】
また、ＴＰＣビットパターン比較部１６は、受信信号にもとづいてＴＰＣビットパターンを比較する（ステップＳ６３）。本実施の形態では、ＴＰＣビットパターン比較部１６は、受信信号に含まれるＴＰＣビットのビットパターンと予め記憶するビットパターンとを比較し、ビットパターンが一致するか否かを判断する。ビットパターンが一致すると判断すると、ＴＰＣビットパターン比較部１６は、受信したＴＰＣビットが正しいと判断する。また、ビットパターンが一致しないと判断すると、ＴＰＣビットパターン比較部１６は、受信したＴＰＣビットが誤っていると判断する。
【００９６】
ＴＰＣビット誤り率計算部１７は、ＴＰＣビットパターン比較部１６の比較結果にもとづいて、受信信号に含まれるＴＰＣビットの誤り率を求める（ステップＳ６４）。本実施の形態では、ＴＰＣビット誤り率計算部１７は、ＴＰＣビットパターン比較部１６がＴＰＣビットが正しいか否かを判断した判断結果にもとづいて、ＴＰＣビットの誤り率を求める。
【００９７】
ＳＩＲ測定の信頼性判断部１８は、ＴＰＣビット誤り率計算部１７が求めた誤り率にもとづいて、ＳＩＲ測定部２０が測定するＳＩＲの信頼性が低いか否かを判断する（ステップＳ６５）。本実施の形態では、ＳＩＲ測定の信頼性判断部１８は、ＴＰＣビット誤り率計算部１７が求めた誤り率が予め記憶する所定のしきい値より大きいか否かを判断する。しきい値より大きいと判断すると、ＳＩＲ測定の信頼性判断部１８は、測定するＳＩＲの信頼性が低いと判断する。また、しきい値より大きくないと判断すると、ＳＩＲ測定の信頼性判断部１８は、測定するＳＩＲが信頼できると判断する。
【００９８】
測定するＳＩＲが信頼できると判断すると、同期判定制御装置は、ステップＳ６６以降の処理を行わずに、ステップＳ６３以降の処理を繰り返し実行する。
【００９９】
測定するＳＩＲの信頼性が低いと判断すると、ＳＩＲ測定の信頼性判断部１８は、同期判定に用いるＳＩＲしきい値を上げるように同期判定しきい値比較部１４に指示する。すると、同期判定しきい値比較部１４は、ＳＩＲ測定の信頼性判断部１８からの指示に従って、ＳＩＲしきい値を所定値分大きくする（ステップＳ６６）。本実施の形態では、同期判定しきい値比較部１４は、同期判定用しきい値設定領域部１２にＳＩＲしきい値の再設定を指示する。すると、同期判定用しきい値設定領域部１２は、同期判定しきい値比較部１４からの指示に従って、ＳＩＲしきい値を現在の値より大きい値に設定し直す。そして、同期判定用しきい値設定領域部１２は、記憶するＳＩＲしきい値を再設定した値に更新する。なお、ＳＩＲしきい値をどの程度高くするのかは、シミュレーションなどの事前検証を行った結果にもとづいて予め定められる。
【０１００】
同期判定しきい値比較部１４は、ＳＩＲ測定部２０が測定したＳＩＲを、同期判定用しきい値設定領域部１２が記憶するＳＩＲしきい値と比較し、同期判定を行う（ステップＳ６７）。この場合、ＳＩＲ測定の信頼性判断部１８からの指示に従ってＳＩＲしきい値を更新した場合には、同期判定しきい値比較部１４は、更新後のＳＩＲしきい値にもとづいて同期判定を行う。
【０１０１】
以上のように、本実施の形態によれば、同期判定制御装置は、受信信号に含まれるＴＰＣビットの誤り率にもとづいて、ＳＩＲ測定の信頼性が低いか否を判断する。そして、信頼性が低いと判断すると、同期判定に用いるＳＩＲしきい値を上げる処理を行う。本実施の形態によれば、常にＴＰＣビットの誤り率を計算しＳＩＲ測定の信頼性を判定することによって、同期判定用のＳＩＲしきい値を変動させながら同期判定を行うことができる。従って、ノイズやフェージングの影響によって正しいＳＩＲを測定できない場合であっても、ＳＩＲによる同期判定の誤判定を防止することができ、同期判定の精度を向上させることができる。また、余分なマージンをもたせてしきい値を設定しなくても、ＳＩＲによる同期判定の誤判定を防止することができる。
【０１０２】
実施の形態７．
次に、本発明の第７の実施の形態を図面を参照して説明する。図１３は、同期判定制御装置の更に他の構成例を示すブロック図である。図１３に示すように、本実施の形態では、第６の実施の形態で示したＴＰＣビットパターン比較部１６およびＴＰＣビット誤り率計算部１７に代えて、同期判定制御装置がパイロットビットパターン比較部２６およびパイロットビット誤り率計算部２７を含む。また、本実施の形態では、同期判定処理部４０のＳＩＲ測定の信頼性判断部２８の機能が、第６の実施の形態で示したＳＩＲ測定の信頼性判断部１８の機能と異なる。また、本実施の形態では、同期判定制御装置は、環境反映パラメータとして、パイロットビットの誤り率を用いる。
【０１０３】
パイロットビットパターン比較部２６は、受信部１０からの受信信号をデコードし、受信信号に含まれるパイロットビットのパターンを比較して、受信したパイロットビットが誤っているか否かを判断する。本実施の形態では、パイロットビットパターン比較部２６は、パイロットビットが取りうるビットパターンを予めメモリなどの記憶部に記憶している。そして、パイロットビットパターン比較部２６は、受信信号に含まれるパイロットビットのビットパターンと予め記憶するビットパターンとを比較し、ビットパターンが一致するか否かを判断する。
【０１０４】
パイロットビット誤り率計算部２７は、パイロットビットパターン比較部２６の比較結果にもとづいて、受信信号のパイロットビットの誤り率を計算する。本実施の形態では、パイロットビット誤り率計算部２７は、パイロットビットパターン比較部２６が受信信号に含まれるパイロットビットが誤っているか否かを判定した判定結果にもとづいて、パイロットビットの誤り率を求める。
【０１０５】
ＳＩＲ測定の信頼性判断部２８は、パイロットビット誤り率計算部２７が求めたパイロットビットの誤り率にもとづいて、ＳＩＲ測定の信頼性が低いか否かを判断する。本実施の形態では、ＳＩＲ測定の信頼性判断部２８は、パイロットビットの誤り率の所定のしきい値を予めメモリなどの記憶部に記憶している。また、ＳＩＲ測定の信頼性判断部２８は、パイロットビット誤り率計算部２７が求めた誤り率が予め記憶するしきい値より大きいか否かを判断する。誤り率がしきい値より大きいと判断すると、ＳＩＲ測定の信頼性判断部２８は、ＳＩＲ測定部２０が測定するＳＩＲの信頼性が低いと判断する。また、誤り率がしきい値より大きくないと判断すると、ＳＩＲ測定の信頼性判断部２８は、ＳＩＲ測定部２０が測定するＳＩＲが信頼できると判断する。
【０１０６】
また、ＳＩＲ測定の信頼性判断部２８は、ＳＩＲ測定の信頼性が低いと判断すると、ＳＩＲしきい値を変更するように同期判定しきい値比較部１４に指示する。本実施の形態では、ＳＩＲ測定の信頼性判断部２８は、ＳＩＲ測定の信頼性が低いと判断すると、ＳＩＲしきい値を上げるように同期判定しきい値比較部１４に指示する。すなわち、ＳＩＲ測定の信頼性判断部１８は、ＳＩＲしきい値を上げさせることによって、同期判定比較において同期状態であると判定しにくくさせる。
【０１０７】
なお、本実施の形態において、受信部１０およびＳＩＲ測定部２０の機能については、第６の実施の形態におけるそれらの機能と同様である。また、本実施の形態において、同期判定用しきい値設定領域部１２、同期判定条件設定領域部１３、同期判定しきい値比較部１４および同期判定条件比較部１５は、第６の実施の形態におけるそれらの機能と同様である。
【０１０８】
次に、動作について説明する。図１４は、ＳＩＲしきい値の変更処理および同期判定処理を示す流れ図である。本実施の形態において、ステップＳ７１およびステップＳ７２の処理は、第６の実施の形態におけるステップＳ６１およびステップＳ６２の処理と同様である。
【０１０９】
また、パイロットビットパターン比較部２６は、受信信号にもとづいてパイロットビットパターンを比較する（ステップＳ７３）。本実施の形態では、パイロットビットパターン比較部２６は、受信信号に含まれるパイロットビットのビットパターンと予め記憶するビットパターンとを比較し、ビットパターンが一致するか否かを判断する。ビットパターンが一致すると判断すると、パイロットビットパターン比較部２６は、受信したパイロットビットが正しいと判断する。また、ビットパターンが一致しないと判断すると、パイロットビットパターン比較部２６は、受信したパイロットビットが誤っていると判断する。
【０１１０】
パイロットビット誤り率計算部２７は、パイロットビットパターン比較部２６の比較結果にもとづいて、受信信号に含まれるパイロットビットの誤り率を求める（ステップＳ７４）。本実施の形態では、パイロットビット誤り率計算部２７は、パイロットビットパターン比較部２６がパイロットビットが正しいか否かを判断した判断結果にもとづいて、パイロットビットの誤り率を求める。
【０１１１】
ＳＩＲ測定の信頼性判断部２８は、パイロットビット誤り率計算部２７が求めた誤り率にもとづいて、ＳＩＲ測定部２０が測定するＳＩＲの信頼性が低いか否かを判断する（ステップＳ７５）。本実施の形態では、ＳＩＲ測定の信頼性判断部２８は、パイロットビット誤り率計算部２７が求めた誤り率が予め記憶する所定のしきい値より大きいか否かを判断する。しきい値より大きいと判断すると、ＳＩＲ測定の信頼性判断部２８は、測定するＳＩＲの信頼性が低いと判断する。また、しきい値より大きくないと判断すると、ＳＩＲ測定の信頼性判断部２８は、測定するＳＩＲが信頼できると判断する。
【０１１２】
測定するＳＩＲが信頼できると判断すると、同期判定制御装置は、ステップＳ７６以降の処理を行わずに、ステップＳ７３以降の処理を繰り返し実行する。測定するＳＩＲの信頼性が低いと判断すると、ＳＩＲ測定の信頼性判断部２８は、同期判定に用いるＳＩＲしきい値を上げるように同期判定しきい値比較部１４に指示する。
【０１１３】
なお、本実施の形態において、ステップＳ７６およびステップＳ７７の処理は、第６の実施の形態におけるステップＳ６６およびステップＳ６７の処理と同様である。
【０１１４】
以上のように、本実施の形態によれば、同期判定制御装置は、受信信号に含まれるパイロットビットの誤り率にもとづいて、ＳＩＲ測定の信頼性が低いか否を判断する。そして、信頼性が低いと判断すると、同期判定に用いるＳＩＲしきい値を上げる処理を行う。本実施の形態によれば、常にパイロットビットの誤り率を計算しＳＩＲ測定の信頼性を判定することによって、同期判定用のＳＩＲしきい値を変動させながら同期判定を行うことができる。従って、ノイズやフェージングの影響によって正しいＳＩＲを測定できない場合であっても、ＳＩＲによる同期判定の誤判定を防止することができ、同期判定の精度を向上させることができる。また、余分なマージンをもたせてしきい値を設定しなくても、ＳＩＲによる同期判定の誤判定を防止することができる。
【０１１５】
実施の形態８．
次に、本発明の第８の実施の形態を図面を参照して説明する。図１５は、同期判定制御装置の更に他の構成例を示すブロック図である。図１５に示すように、同期判定制御装置は、受信部１０、ＳＩＲ測定部２０、同期判定処理部４０、ＴＰＣビットパターン比較部３６およびＴＰＣビット誤り率計算部３７を含む。本実施の形態では、同期判定制御装置は、環境反映パラメータとしてＴＰＣビットの誤り率を用いる。
【０１１６】
また、本実施の形態では、同期判定制御装置は、ＳＩＲしきい値を変更するのでなく、ＴＰＣビットのパターンマッチングの割合を同期判定条件として同期判定を行う場合を説明する。本実施の形態では、同期判定制御装置は、ＴＰＣビットの誤り率の計算結果にもとづいて直接同期判定を行う。
【０１１７】
ＴＰＣビットパターン比較部３６は、第６の実施の形態で示したＴＰＣビットパターン比較部１６と同様に、受信部１０からの受信信号をデコードし、受信信号に含まれるＴＰＣビットのパターンを比較して、受信したＴＰＣビットが誤っているか否かを判断する。ＴＰＣビット誤り率計算部３７は、第６の実施の形態で示したＴＰＣビット誤り率計算部１７と同様に、ＴＰＣビットパターン比較部３６の比較結果にもとづいて、受信信号のＴＰＣビットの誤り率を計算する。
【０１１８】
同期判定処理部４０は、同期判定用しきい値設定領域部１２、同期判定条件設定領域部１３、同期判定しきい値比較部１４、同期判定条件比較部１５および同期判定結果通知領域部３８を含む。
【０１１９】
同期判定結果通知領域部３８は、ＴＰＣビット誤り率計算部３７が求めたＴＰＣビットの誤り率にもとづいて、同期判定を行う。本実施の形態では、同期判定結果通知領域部３８は、ビット誤り率の所定のしきい値を予めメモリなどの記憶部に記憶している。また、同期判定結果通知領域部３８は、ＴＰＣビット誤り率計算部３７が求めたＴＰＣビット誤り率が予め記憶するしきい値より大きいか否かを判断する。しきい値より大きいと判断すると、同期判定結果通知領域部３８は、同期がはずれた状態であると判定する。すなわち、同期判定結果通知領域部３８は、ＳＩＲ測定部２０が測定するＳＩＲの信頼性が低いので、同期がはずれた状態であると判定する。しきい値より大きくないと判定すると、同期判定結果通知領域部３８は、同期がとれている状態であると判定する。
【０１２０】
また、同期判定結果通知領域部３８は、同期がはずれた状態であると判定すると、同期がとれていない旨の結果情報を所定の同期判定通知領域に書き込む。例えば、同期判定結果通知領域部３８は、同期がとれていない旨の結果情報をメモリなどの記憶部に書き込む。
【０１２１】
なお、本実施の形態において、受信部１０およびＳＩＲ測定部２０の機能および動作については、第６の実施の形態におけるそれらの機能および動作と同様である。また、本実施の形態において、同期判定用しきい値設定領域部１２、同期判定条件設定領域部１３、同期判定しきい値比較部１４および同期判定条件比較部１５の機能および動作は、第６の実施の形態におけるそれらの動作と同様である。
【０１２２】
以上のように、本実施の形態によれば、同期判定制御装置は、ＳＩＲを用いた同期判定にかぎらず、ＴＰＣビットの誤り率にもとづいて直接同期判定を行う。従って、ノイズやフェージングの影響によって正しいＳＩＲを測定できない場合であっても、ＳＩＲによる同期判定の誤判定を防止することができ、同期判定の精度を向上させることができる。また、余分なマージンをもたせてしきい値を設定しなくても、ＳＩＲによる同期判定の誤判定を防止することができる。
【０１２３】
なお、本実施の形態では、ＴＰＣビットのパターンマッチングの割合を同期判定条件とする場合を説明したが、同期判定制御装置は、パイロットビットのパターンマッチングの割合を同期判定条件として同期判定を行ってもよい。この場合、例えば、同期判定制御装置は、ＴＰＣビットパターン比較部３６およびＴＰＣビット誤り率計算部３７に代えて、パイロットビットパターン比較部およびパイロットビット誤り率計算部を備える。そして、同期判定制御装置は、パイロットビットの誤り率の計算結果にもとづいて直接同期判定を行う。
【０１２４】
また、同期判定制御装置は、ＴＰＣビット又はパイロットビットの誤り率にもとづいてＳＩＲしきい値を変更するとともに、ＴＰＣビット又はパイロットビットの誤り率にもとづいて直接同期判定を行うようにしてもよい。そのようにすれば、ＳＩＲしきい値の変更を行わずに誤り率だけにもとづいて直接同期判定を行う場合を比較して、よりＳＩＲによる同期判定の誤判定を防止することができ、より同期判定の精度を向上させることができる。
【産業上の利用可能性】
【０１２５】
本発明による同期判定制御装置は、ＣＤＭＡ方式を用いた携帯電話機など移動局の同期判定制御装置として適用できる。本発明による同期判定制御装置を用いることにより、移動局は外的環境の変化に追随して同期判定を行うことができ、外的環境が変化した場合であっても通信品質を確保することができる。
【図面の簡単な説明】
【０１２６】
【図１】本発明による同期判定制御装置の構成の一例を示すブロック図である。
【図２】同期判定処理部４０が行うＳＩＲしきい値の変更処理および同期判定処理の一例を示す流れ図である。
【図３】同期判定制御装置の他の構成例を示すブロック図である。
【図４】ＳＩＲしきい値の変更処理および同期判定処理の他の例を示す流れ図である。
【図５】同期判定制御装置の更に他の構成例を示すブロック図である。
【図６】ＳＩＲしきい値の変更処理および同期判定処理の更に他の例を示す流れ図である。
【図７】同期判定制御装置の更に他の構成例を示すブロック図である。
【図８】ＳＩＲしきい値の変更処理および同期判定処理の更に他の例を示す流れ図である。
【図９】同期判定制御装置の更に他の構成例を示すブロック図である。
【図１０】ＳＩＲしきい値の変更処理および同期判定処理の更に他の例を示す流れ図である。
【図１１】同期判定制御装置の更に他の構成例を示すブロック図である。
【図１２】同期判定処理部４０が行うＳＩＲしきい値の変更処理および同期判定処理の更に他の例を示す流れ図である。
【図１３】同期判定制御装置の更に他の構成例を示すブロック図である。
【図１４】ＳＩＲしきい値の変更処理および同期判定処理の更に他の例を示す流れ図である。
【図１５】同期判定制御装置の更に他の構成例を示すブロック図である。
【図１６】携帯電話機などの移動局において同期判定を行う同期判定制御装置の構成の例を示すブロック図である。
【符号の説明】
【０１２７】
１０  受信部
２０  ＳＩＲ測定部
３０  速度検出部
４０  同期判定処理部
【図１】
2005253055.tif 000003
【図２】
2005253055.tif 000004
【図３】
2005253055.tif 000005
【図４】
2005253055.tif 000006
【図５】
2005253055.tif 000007
【図６】
2005253055.tif 000008
【図７】
2005253055.tif 000009
【図８】
2005253055.tif 000010
【図９】
2005253055.tif 000011
【図１０】
2005253055.tif 000012
【図１１】
2005253055.tif 000013
【図１２】
2005253055.tif 000014
【図１３】
2005253055.tif 000015
【図１４】
2005253055.tif 000016
【図１５】
2005253055.tif 000017
【図１６】
2005253055.tif 000018